(57)【要約】【課題】従来、電子番組情報はディスプレイに文字として表示させユーザーにその情報を伝達していたが、目の不自由な方や高齢者など視力の落ちた方にはその情報を認識することが困難であった。またその情報を音声で伝達することもこれまでは不可能であり、さらにはその音声をユーザー好みの音声に切り替えることも不可能であった。【解決手段】デジタルチューナーと、復調手段と、トランスポートデコード手段と、ＲＡＭメモリと、不揮発性メモリと、音声データメモリと、音声デコード手段と、電子番組情報を音声に変換できる音声電子番組情報デコード手段と、音声デコード手段と音声変換手段の出力を合成可能な音声合成手段と、音声信号符号化手段と、制御手段で構成した。このような構成にすることにより、電子番組情報を音声に変換でき、耳から番組情報を入手可能となる。さらにはその音声をユーザーの好みの音声に変換可能となる。【選択図】  図１１
2004304221.tif 000002
【特許請求の範囲】
【請求項１】
デジタル放送を受信可能なチューナーと、前記チューナー出力より所望のトランスポートストリームを選局する復調手段と、復調手段の出力するトランスポートストリームから電子番組情報のデータのデコードを行うトランスポートデコード手段と、前記電子番組情報のデータの展開・蓄積を行うＲＡＭメモリと、前記トランスポートデコード手段で取得された電子番組情報を音声に変換するための音声コードを記憶する不揮発性メモリと、前記不揮発性メモリに記憶された音声コードを基に電子番組情報を音声に変換する電子番組情報音声変換手段と、前記復調手段、前記トランスポートデコード手段、前記電子番組情報音声変換手段の制御を行う制御手段を備え、放送で送られてくる電子番組情報の文字データを音声情報に変換可能なことを特徴とするデジタル放送対応受信端末装置。
【請求項２】
デジタル放送を受信可能なチューナーと、前記チューナー出力より所望のトランスポートストリームを選局する復調手段と、復調手段の出力するトランスポートストリームから音声情報である音声電子番組情報データのデコードを行うトランスポートデコード手段と、前記音声電子番組情報のデータの展開・蓄積を行うＲＡＭメモリと、前記トランスポートデコード手段で取得された音声電子番組情報を音声に変換するための音声コードを記憶する不揮発性メモリと、前記不揮発性メモリに記憶された音声コードを基に音声電子番組情報を音声に変換する音声電子番組情報デコード手段と、前記復調手段、前記トランスポートデコード手段、前記音声電子番組情報デコード手段の制御を行う制御手段を備え、放送で送られてくる音声電子番組情報のデータを音声情報に変換可能なことを特徴とするデジタル放送対応受信端末装置。
【請求項３】
前記請求項２の音声電子番組情報は、電子番組情報を音声情報としてコード化し、少なくとも番組配列情報内のいずれかに配置することを特徴とするデジタル放送方式。
【請求項４】
前記請求項２の制御手段は、トランスポートデコード手段で取得された音声電子番組情報を基に不揮発性メモリから音声コードを抽出し、その抽出したコードの並びから出力情報として正しいかどうかをその音声コード前後のコードから判断し、適応的に修正可能なことを特徴とする請求項２記載のデジタル放送対応受信端末装置。
【請求項５】
前記請求項２に、外部からの音声を入力可能な音声入力端子と、入力された音声をサンプリング可能でデジタル音声コード化可能な音声信号符号化手段と、符号化された音声コードを記憶することが可能な不揮発性メモリを加えて備え、ユーザー好みの音声を外部から入力しその音声情報をコード化し、予め記憶させていた音声コードに追加、変更可能なことを特徴とするデジタル放送対応受信端末装置。
【発明の詳細な説明】
【０００１】
【発明の属する技術分野】
本発明は、デジタル信号の処理装置に係わり、更に詳しくはデジタル放送信号処理、データ蓄積処理に関する。
【０００２】
【従来の技術】
従来のデジタル放送受信装置の構成例を図１４に、フローチャートを図１５に示す。ここでは「特開２００１−２４９６１  デジタル放送受信機」について説明する。
【０００３】
以下、従来のデジタル放送受信装置について図１４を参照しながら説明する。
図１４は従来のデジタル放送受信装置のブロック図である。
【０００４】
図１４において、１０１はアンテナ、１０２は伝送されてくるデジタル放送波から所望のトランスポートストリームを選択するチューナー、１０３は前記所望のトランスポートストリームから所望の映像、音声および番組情報等の付加情報のパケットを抽出するトランスポートデコーダ、１０４は前記映像および音声パケットをデコードし、映像出力信号および音声出力信号を得るＡＶデコーダ、１０５は前記映像信号出力および音声信号出力を表示可能なモニタ、１０６はユーザーの操作指示入力を受け付けてシステムコントローラへ伝達するユーザー入力部、１０７はデジタル放送受信機内の各種制御を行うシステムコントローラ、１０８はユーザーから番組表等の表示指示があった場合に、前記システムコントローラの指示により番組表等を作成して、前記ＡＶデコーダへ供給して前記映像出力信号と重畳して出力させる表示制御部である。
【０００５】
以上のように構成された図１４の従来のデジタル放送受信装置について、以下その動作を説明する。
【０００６】
伝送されてくるデジタル放送波は、アンテナ１０１から入来し、デジタル放送受信機１０９内のチューナー１０２へ供給されている。チューナー１０２は、システムコントローラ１０７の制御により、受信トランスポンダの切り換え、受信した信号の復調、誤り訂正を行い、トランスポートストリームをトランスポートデコーダ１０３へ供給している。トランスポートデコーダ１０３は、システムコントローラ１０７からの制御により、このトランスポートストリーム中から必要な映像および音声のパケットを抽出してＡＶデコーダ１０４へ供給するとともに、番組情報やチャンネル情報等の付加情報のパケットも抽出してシステムコントローラ１０７へ供給している。ＡＶデコーダ１０４は映像および音声のパケットをデコードし、映像信号および音声信号を得てモニタ１０５へ供給し映像および音声を再生している。
【０００７】
また、ユーザー入力部１０６は、受信機本体や付属のリモコン送信機のキー等で構成され、ユーザーの操作指示入力をシステムコントローラ１０７へ伝達している。システムコントローラ１０７は、ユーザーの操作指示入力の内容を解釈し、例えば番組表のキーが押された場合には、番組情報を表示制御部１０８へ供給している。表示制御部１０８は、番組情報等の表示イメージデータを作成し、ＡＶデコーダ４へ供給し映像出力信号と重畳してモニタ１０５へ表示させる。表示制御部はシステムコントローラ１０７から番組情報を取得するステップと、番組情報を基に番組表を作成して表示するステップと、ユーザーから番組表拡大指示があった場合には、番組表の所定部分を拡大して表示するステップを有する。
【０００８】
図１５は表示制御部１０８の番組表表示方法のフローチャートである。図１５において、
プログラムがスタートすると（Ｓ１：ステップ１）、番組表キーが押されたかどうか判定する（Ｓ２：ステップ２）。番組表キーが押されたら（Ｙ：ＹＥＳ）、現在画面上に番組表が表示中かどうかを判定する（Ｓ３）。表示中であれば（Ｙ）、画面の番組表表示を消去して（Ｓ４）、Ｓ２へ戻る。表示中でなければ（Ｎ）、システムコントローラ１０７から表示用の番組表データを取得し（Ｓ５）、このデータを基に番組表を作成、表示し（Ｓ６）、Ｓ２へ戻る。
【０００９】
Ｓ２で番組表キーが押されていなければ（Ｎ：Ｎｏ）、現在画面上に番組表が表示中かどうかを判定する（Ｓ７）。表示中でなければ（Ｎ）、Ｓ２へ戻る。番組表が表示中であれば（Ｙ）、拡大キーが押されたかどうか判定する（Ｓ８）。拡大キーが押されていれば（Ｙ）、拡大部分特定枠を番組表上に表示し（Ｓ９）、Ｓ２へ戻る。この拡大部分枠は、番組表上の拡大される候補エリア（範囲）を示す枠である。次に、Ｓ７で拡大キーが押されていなければ（Ｎ）、カーソルキーが押されているかどうかを判定する（Ｓ１０）。カーソルキーが押されていれば（Ｙ）、現在画面上に拡大部分特定枠が表示中かどうかを判定する（Ｓ１１）。表示中でなければ（Ｎ）、Ｓ２へ戻る。
【００１０】
拡大部分特定枠が表示中であれば（Ｙ）、ユーザーからのカーソルキー入力の指示に応じて番組表上の買う大部分特定枠のエリアを変更して（Ｓ１２）、Ｓ２へ戻る。ユーザーは、リモコン送信機等の上下左右のカーソルキーを操作することにより、番組表上の拡大部分特定枠のエリアを変更できる。次に、Ｓ１０でカーソルキーが押されていなければ（Ｎ）、決定キーが押されているかどうかを判定する（Ｓ１３）。決定キーが押されていなければ（Ｎ）、Ｓ２へ戻る。決定キーが押されたら（Ｙ）、拡大部分枠で指定されたエリアを拡大して画面上に表示し（Ｓ１４）、Ｓ２へ戻り、以降同様な処理を繰り返す。
【００１１】
上記のような従来のデジタル放送受信機は、ＴＶが小型サイズの場合や、老人等視力の弱い視聴者が番組表などの文字が小さく見づらい場合は、視聴者が見たい特定部分を拡大表示することで表示内容を分かりやすくする仕組みであった。
【００１２】
【発明が解決しようとする課題】
従来のデジタル受信機において視聴者が番組情報を入手する場合、文字が小さい時や、高齢者など視力の低下した視聴者は内容を理解するのが難しいという問題があったが、特定の文字を拡大することで問題を解決している。
【００１３】
しかし、視聴者自身は画面上の文字を読むことでしか番組情報を入手出来ず、音声で案内する仕組みで耳から情報を入手することは不可能である。
【００１４】
また、従来のデジタル放送も番組情報は文字情報としてのみ送出しており、音声情報としての放送はされていない。
【００１５】
また、番組情報を文字情報ではなくユーザーの好みの音声で案内することもこれまでの放送、受信機構成では不可能であった。
【００１６】
【課題を解決するための手段】
この課題を解決するために本発明は、デジタル放送を受信可能なチューナーと、チューナー出力より所望のトランスポートストリームを選局する復調手段と、復調手段の出力するトランスポートストリームから電子番組情報のデータのデコードを行うトランスポートデコード手段と、電子番組情報のデータの展開・蓄積を行うＲＡＭメモリと、トランスポートデコード手段で取得された電子番組情報を音声に変換するための音声コードを記憶する不揮発性メモリと、不揮発性メモリに記憶された音声コードを基に電子番組情報を音声に変換する電子番組情報音声変換手段と、復調手段、トランスポートデコード手段、電子番組情報音声変換手段の制御を行う制御手段で構成し、放送で送られてくる電子番組情報の文字データを音声情報に変換可能とした。
【００１７】
また、デジタル放送を受信可能なチューナーと、チューナー出力より所望のトランスポートストリームを選局する復調手段と、復調手段の出力するトランスポートストリームから音声情報である音声電子番組情報データのデコードを行うトランスポートデコード手段と、音声電子番組情報のデータの展開・蓄積を行うＲＡＭメモリと、トランスポートデコード手段で取得された音声電子番組情報を音声に変換するための音声コードを記憶する不揮発性メモリと、不揮発性メモリに記憶された音声コードを基に音声電子番組情報を音声に変換する音声電子番組情報デコード手段と、復調手段、トランスポートデコード手段、音声電子番組情報デコード手段の制御を行う制御手段で構成し、放送で送られてくる音声電子番組情報のデータを音声情報に変換可能とした。このとき音声電子番組情報は、電子番組情報を音声情報としてコード化し、少なくとも番組配列情報内のいずれかに配置するようにした。
【００１８】
さらに制御手段は、トランスポートデコード手段で取得された音声電子番組情報を基に不揮発性メモリから音声コードを抽出し、その抽出したコードの並びから出力情報として正しいかどうかをその音声コード前後のコードから判断し、適応的に修正可能とした。
【００１９】
また、上記構成に、外部からの音声を入力可能な音声入力端子と、入力された音声をサンプリング可能でデジタル音声コード化可能な音声信号符号化手段と、符号化された音声コードを記憶することが可能な不揮発性メモリを加えて構成し、ユーザー好みの音声を外部から入力しその音声情報をコード化し、予め記憶させていた音声コードに追加、変更可能とした。
【００２０】
【発明の実施の形態】
本発明の地上デジタル放送対応受信端末装置は、デジタル放送を受信可能なチューナーと、前記チューナー出力より所望のトランスポートストリームを選局する復調手段と、復調手段の出力するトランスポートストリームから電子番組情報のデータのデコードを行うトランスポートデコード手段と、前記電子番組情報のデータの展開・蓄積を行うＲＡＭメモリと、前記トランスポートデコード手段で取得された電子番組情報を音声に変換するための音声コードを記憶する不揮発性メモリと、前記不揮発性メモリに記憶された音声コードを基に電子番組情報を音声に変換する電子番組情報音声変換手段と、前記復調手段、前記トランスポートデコード手段、前記電子番組情報音声変換手段の制御を行う制御手段を備え、放送で送られてくる電子番組情報の文字データを音声情報に変換することが可能という作用を有する。
【００２１】
また、デジタル放送を受信可能なチューナーと、前記チューナー出力より所望のトランスポートストリームを選局する復調手段と、復調手段の出力するトランスポートストリームから音声情報である音声電子番組情報データのデコードを行うトランスポートデコード手段と、前記音声電子番組情報のデータの展開・蓄積を行うＲＡＭメモリと、前記トランスポートデコード手段で取得された音声電子番組情報を音声に変換するための音声コードを記憶する不揮発性メモリと、前記不揮発性メモリに記憶された音声コードを基に音声電子番組情報を音声に変換する音声電子番組情報デコード手段と、前記復調手段、前記トランスポートデコード手段、前記音声電子番組情報デコード手段の制御を行う制御手段を備え、放送で送られてくる音声電子番組情報のデータを音声情報に変換することが可能という作用を有する。
【００２２】
また、上記受信端末装置と同様の構成を備え、その制御手段は、トランスポートデコード手段で取得された音声電子番組情報を基に不揮発性メモリから音声コードを抽出し、その抽出したコードの並びから出力情報として正しいかどうかをその音声コード前後のコードから判断し、適応的に修正可能という作用を有する。
【００２３】
また、上記受信端末装置に、外部からの音声を入力可能な音声入力端子と、入力された音声をサンプリング可能でデジタル音声コード化可能な音声信号符号化手段と、符号化された音声コードを記憶することが可能な不揮発性メモリを加えて備え、ユーザー好みの音声を外部から入力しその音声情報をコード化し、予め記憶させていた音声コードに追加、変更することが可能という作用を有する。
【００２４】
（実施の形態１）
以下に本発明のデジタル放送受信端末装置の、第１の実施の形態例について図１、図２、図３、図４、図５を用いて説明する。ここでは例として日本でのデジタルテレビ放送、デジタル放送受信機について述べる。
【００２５】
図１において、１はアンテナ信号入力端子、２は前記アンテナ信号入力端子１で受信された放送信号の選局を行うチューナー、３は前記チューナーで選局された信号の放送方式に合わせて復調する復調手段、４は放送データであるトランスポートストリーム情報に従い、パケットＩＤ選択、同期再生、番組情報選択可能なトランスポートデコード手段、５はトランスポートデコード手段４からの音声ストリームパケットをデコード可能な音声デコード手段、６はトランスポートデコード手段で抽出した電子番組情報の文字データを、制御手段７でパターン認識し、その情報を基に制御手段７で音声データ用不揮発性メモリ１０から取得した音声データが入力され、その音声データを音声変換出力可能な電子番組情報音声変換手段、７は復調手段３、トランスポートデコード手段４、音声でコード手段５、電子番組情報音声変換手段、ＲＡＭメモリ８、不揮発性メモリ９，１０、音声合成手段の制御を行うＣＰＵ、８は電子番組情報のデータやＯＳＤ映像情報の展開・蓄積を行うＲＡＭメモリ、９は受信端末装置の制御および機能実行を行うためのプログラムを格納可能な不揮発性メモリ、１０は電子番組情報の文字を音声に変換させるためのデータを格納可能な音声データ用不揮発性メモリ、１１は音声デコード手段５と電子番組情報音声変換手段６の出力を合成し出力する音声合成手段、１２は音声合成手段１１の出力端子である。
【００２６】
以上のように構成された図１のデジタル放送受信端末装置について、以下その動作を説明する。
【００２７】
不揮発性メモリ９には、受信端末装置の制御および機能実行を行うためのプログラムを格納されており、制御手段７は不揮発性メモリ９に格納されているプログラムを読み出し、このプログラム基づき各手段の制御を行う。
【００２８】
アンテナで受信された放送信号は、アンテナ信号入力端子から入力されチューナー２に入力される。チューナー２では所望する番組選局が行われる。チューナー２から出力された信号は復調手段３に入力される。復調手段３では、送られてくる放送信号に対応した復調方法で復調し、誤り訂正処理を行いトランスポートデコード手段４へはトランスポートストリームが出力される。
【００２９】
トランスポートデコード手段４では、パケットＩＤ（ＰＩＤ）処理を行う。これは、トランスポートデコード手段４に設定されたＰＩＤ候補と入力されたトランスポートストリームパケットから取り出したＰＩＤに一致を検出することが可能であり、ＰＩＤ単位にデータフォーマット処理を行う。
【００３０】
データフォーマット処理とは、トランスポートストリームパケットから指定のデータ形式のデータを抽出する処理である。また、ＡＲＩＢ、ＤＶＢの準拠の放送では、ＳＩ（Ｓｅｒｖｉｃｅ  Ｉｎｆｏｒｍａｔｉｏｎ）セクションが数Ｍｂｐｓの帯域を使用して送られてくる。ここで予めセクションフィルタ条件を登録でき、この内一つでも一致するセクションヘッダ（セクションデータバイト前での各フィールド）を持つセクションを抜き出すことができる。
【００３１】
このＳＩ情報は常にＣＰＵで管理することができる。音声ストリームは音声デコード手段５へ、ＲＡＭメモリ８には、トランスポートデコード手段４で取得されたＳＩ情報が展開、蓄積される。
【００３２】
図２に、ＲＡＭ８上に展開されたＥＩＴ（Ｅｖｅｎｔ    Ｉｎｆｏｒｍａｔｉｏｎ  Ｔａｂｌｅ）について内容と構造を示す。ＥＩＴは電子番組情報の番組名、放送日時、番組内容など番組に関する情報が記載され、日本のＢＳ、ＣＳ１１０度デジタル放送ではＰＩＤは０ｘ００１２である。地上デジタル放送ではＥＩＴはＨ−ＥＩＴ，Ｍ−ＥＩＴ，Ｌ−ＥＩＴの３種類が定義されそれぞれＰＩＤは０ｘ００１２，０ｘ００２６，０ｘ００２７である。番組名などはデータ構造の記述子領域内に記載される。
【００３３】
図３にＥＩＴの記述子領域内の短形式イベント記述子と拡張形式イベント記述子を示す。短形式イベント記述子は番組名と番組の簡単な説明の記述である。拡張形式イベント記述子は番組に関する詳細情報の記述である。
【００３４】
制御手段７は、上記ＥＩＴの短形式記述子内の番組名や拡張形式イベント記述子内の番組詳細情報を取得し、その文字データをパターン認識し音声データ用不揮発性メモリ１０から音声データコードを抽出する。
【００３５】
図４に音声データコード例を示す。文字データで「あ」、「亜」などの音情報は同じであるため０００１の音声データコードを記憶格納させておく。その他読み方の同じ文字に関して同一音声コードを割り振る。また同じ漢字でも別の読み方の場合は、文字データの前後の情報との相関で音声データコードを制御手段７では抽出するようにする。
【００３６】
相関が取れないような特異な読み方の場合は熟語音声データとしてメモリ上に記憶させておくことで誤発声しないようにする。音声データ用不揮発性メモリ１０から抽出された音声データコードは電子番組情報音声変換手段６に入力される。
【００３７】
電子番組情報音声変換手段６では、入力された音声データコードに基づき音声変換され音声合成手段１１へと出力される。
【００３８】
音声合成手段１１では、音声デコード手段５の出力と電子番組情報音声変換手段６の出力を合成し番組内容を出力する際には音声デコード手段の出力レベルを下げるなどの制御を行うことが可能である。音声合成手段１１の出力は音声出力端子１２から出力される。
【００３９】
これにより、これまで文字として番組表に表示していた電子番組情報を音声として変換が可能となり、文字の小ささやＴＶのサイズが小さいためなかなか読みづらかった電子番組情報を、視力の落ちた高齢者の方々など情報取得が容易に出来るようになる。上記請求項１のフローチャートを図５に示す。
【００４０】
（実施の形態２）
次に、本発明のデジタル放送受信端末装置の、第２の実施の形態例について説明する。ここでは図６，７，８を用いて説明する。なお前述した第１の実施の形態例と同じ構成については同じ符号を用い説明を省略する。
【００４１】
２０は、放送で送られてくる音声電子番組情報に対応した音声データコードが格納されている音声データ用不揮発性メモリ、２１は音声データ用不揮発性メモリ２０のデータコードに基づき音声変換出力可能な音声電子番組情報デコード手段である。以上のように構成された図４の受信端末装置について、以下その動作を説明する。
【００４２】
アンテナで受信された放送信号は、アンテナ信号入力端子から入力されチューナー２に入力される。チューナー２では所望する番組選局が行われる。チューナー２から出力された信号は復調手段３に入力される。復調手段３では、送られてくる放送信号に対応した復調方法で復調し、誤り訂正処理を行いトランスポートデコード手段４へはトランスポートストリームが出力される。
【００４３】
トランスポートデコード手段４では、放送で送られてくる音声に変換可能なコード情報である音声電子番組情報をフィルタリングし抜き出すことができる。ここで音声電子番組情報は、電子番組情報を音声情報としてコード化し、少なくとも番組配列情報内のいずれかに配置することとする。
【００４４】
図７に放送で送られてくる音声コード例を示す。図７にあるように、「おはよう」は（５０１：１０６：５０８：３０１）と送出される。また「こんにちは」のような文字では「は」だが読みでは「わ」のような場合は「は：１０６」ではなく「わ：１１０」を送出する。
【００４５】
ＲＡＭメモリ８には、トランスポートデコード手段４で取得された音声電子番組情報が展開、蓄積される。
【００４６】
制御手段７は、上記音声電子番組情報を取得し、その音声コードデータに基づいて音声データ用不揮発性メモリ２０から音声電子情報デコード手段２１用の音声データコードを抽出する。音声データ用不揮発性メモリ２０から抽出された音声データコードは音声電子番組情報デコード手段２１に入力される。
【００４７】
音声電子番組情報デコード手段２１では、入力された音声データコードに基づき音声変換され音声合成手段１１へと出力される。
【００４８】
音声合成手段１１では、音声デコード手段５の出力と音声電子番組情報デコード手段２１の出力を合成し番組内容を出力する際には音声デコード手段の出力レベルを下げるなどの制御を行うことが可能である。音声合成手段１１の出力は音声出力端子１２から出力される。
【００４９】
これにより、放送で送られてきた音声電子番組情報をデコードすることが可能となり、電子番組情報が文字情報以外にも音声情報としてユーザーが取得することが可能となる。上記請求項２のフローチャートを図８に示す。
【００５０】
（実施の形態３）
次に、本発明のデジタル放送受信端末装置の、第３の実施の形態例について説明する。ここでは図６、９、１０を用いて説明する。なお前述した第１、２の実施の形態例と同じ構成については同じ符号を用い説明を省略する。
【００５１】
アンテナで受信された放送信号は、アンテナ信号入力端子から入力されチューナー２に入力される。チューナー２では所望する番組選局が行われる。チューナー２から出力された信号は復調手段３に入力される。復調手段３では、送られてくる放送信号に対応した復調方法で復調し、誤り訂正処理を行いトランスポートデコード手段４へはトランスポートストリームが出力される。
【００５２】
トランスポートデコード手段４では、放送で送られてくる音声に変換可能なコード情報である音声電子番組情報をフィルタリングし抜き出すことができる。ここで音声電子番組情報は、電子番組情報を音声情報としてコード化し、少なくとも番組配列情報内のいずれかに配置することとする。
【００５３】
図９に放送で送られてくる音声コード例を示す。図９にあるように、「こんにちは」のような文字では「は」だが読みでは「わ」のような場合は誤って「は：１０６」が送られてくる場合も想定される。
【００５４】
制御手段７は、上記音声電子番組情報を取得し、その前後の音声コードより誤って送られてきた情報を解析し正しい音声コードに変更することで出力させるようにする。修正された音声コードデータに基づいて音声データ用不揮発性メモリ２０から音声電子情報デコード手段２１用の音声データコードを抽出し、音声データ用不揮発性メモリ２０から抽出された音声データコードは音声電子番組情報デコード手段２１に入力される。
【００５５】
音声電子番組情報デコード手段２１では、入力された音声データコードに基づき音声変換され音声合成手段１１へと出力される。
【００５６】
音声合成手段１１では、音声デコード手段５の出力と音声電子番組情報デコード手段２１の出力を合成し番組内容を出力する際には音声デコード手段の出力レベルを下げるなどの制御を行うことが可能である。音声合成手段１１の出力は音声出力端子１２から出力される。
【００５７】
これにより、放送で送られてくる音声コードデータが誤っている場合にもその前後の情報で音声コードを修正することで正しい音声出力が可能となり、電子番組情報が文字情報以外にも音声情報として正しくユーザーが取得することが可能となる。上記請求項３のフローチャートを図１０に示す。
【００５８】
（実施の形態４）
次に、本発明のデジタル放送受信端末装置の、第４の実施の形態例について説明する。ここでは図１１、１２，１３を用いて説明する。なお前述した第１、２、３の実施の形態例と同じ構成については同じ符号を用い説明を省略する。
【００５９】
３１は、外部から音声入力可能な音声入力端子、３２は外部から入力された音声をサンプリングしデータを符号化可能な音声信号符号化手段、３３は音声信号符号化手段で符号化されたデータを記憶可能な音声データ用不揮発性メモリである。
【００６０】
以上のように構成された図１１の受信端末装置について、以下その動作を説明する。音声入力端子３１から入力された音声は音声信号符号化手段３２に入力される。音声信号符号化手段３２では入力された音声信号をサンプリング、符号化可能である。図１２に音声入力イメージを示す。ユーザーは好みの音声を入力し、その音声データを予め記憶させておいたデータとともに音声データ用不揮発メモリ３３に追加記憶できる。
【００６１】
アンテナで受信された放送信号は、アンテナ信号入力端子から入力されチューナー２に入力される。チューナー２では所望する番組選局が行われる。チューナー２から出力された信号は復調手段３に入力される。復調手段３では、送られてくる放送信号に対応した復調方法で復調し、誤り訂正処理を行いトランスポートデコード手段４へはトランスポートストリームが出力される。
【００６２】
トランスポートデコード手段４では、放送で送られてくる音声に変換可能なコード情報である音声電子番組情報をフィルタリングし抜き出すことができる。ここで音声電子番組情報は、電子番組情報を音声情報としてコード化し、少なくとも番組配列情報内のいずれかに配置することとする。
【００６３】
ＲＡＭメモリ８には、トランスポートデコード手段４で取得された音声電子番組情報が展開、蓄積される。
【００６４】
制御手段７は、上記音声電子番組情報を取得し、その音声コードデータに基づいて音声データ用不揮発性メモリ３３から音声電子情報デコード手段２１用の音声データコードを抽出する。音声データ用不揮発性メモリ３３から抽出されたユーザー好みの音声データコードは音声電子番組情報デコード手段２１に入力される。
【００６５】
音声電子番組情報デコード手段２１では、入力された音声データコードに基づき音声変換され音声合成手段１１へと出力される。
【００６６】
音声合成手段１１では、音声デコード手段５の出力と音声電子番組情報デコード手段２１の出力を合成し番組内容を出力する際には音声デコード手段の出力レベルを下げるなどの制御を行うことが可能である。音声合成手段１１の出力は音声出力端子１２から出力される。
これにより、放送で送られてきた音声電子番組情報をデコードすることが可能となり、電子番組情報が文字情報以外にも音声情報としてユーザーが取得することが可能で、さらにユーザーが好みの音声で電子番組情報を音声で情報取得可能となる。上記請求項４のフローチャートを図１３に示す。
【００６７】
【発明の効果】
以上のように本発明によれば、デジタル放送を受信可能なチューナーと、前記チューナー出力より所望のトランスポートストリームを選局する復調手段と、復調手段の出力するトランスポートストリームから電子番組情報のデータのデコードを行うトランスポートデコード手段と、前記電子番組情報のデータの展開・蓄積を行うＲＡＭメモリと、前記トランスポートデコード手段で取得された電子番組情報を音声に変換するための音声コードを記憶する不揮発性メモリと、前記不揮発性メモリに記憶された音声コードを基に電子番組情報を音声に変換する電子番組情報音声変換手段と、前記復調手段、前記トランスポートデコード手段、前記電子番組情報音声変換手段の制御を行う制御手段を備えることで、放送で送られてくる電子番組情報の文字データを音声情報に変換することが可能となる。
【００６８】
また、デジタル放送を受信可能なチューナーと、前記チューナー出力より所望のトランスポートストリームを選局する復調手段と、復調手段の出力するトランスポートストリームから音声情報である音声電子番組情報データのデコードを行うトランスポートデコード手段と、前記音声電子番組情報のデータの展開・蓄積を行うＲＡＭメモリと、前記トランスポートデコード手段で取得された音声電子番組情報を音声に変換するための音声コードを記憶する不揮発性メモリと、前記不揮発性メモリに記憶された音声コードを基に音声電子番組情報を音声に変換する音声電子番組情報デコード手段と、前記復調手段、前記トランスポートデコード手段、前記音声電子番組情報デコード手段の制御を行う制御手段を備え、電子番組情報を音声情報としてコード化し、少なくとも番組配列情報内のいずれかに配置することで、放送で送られてくる音声電子番組情報のデータを音声情報に変換することが可能となる。
【００６９】
また、上記受信端末装置と同様の構成を備え、その制御手段が、トランスポートデコード手段で取得された音声電子番組情報を基に不揮発性メモリから音声コードを抽出し、その抽出したコードの並びから出力情報として正しいかどうかをその音声コード前後のコードから判断し、適応的に修正可能とすることで正確な電子番組情報の音声出力が可能である。
【００７０】
また、上記構成に、外部からの音声を入力可能な音声入力端子と、入力された音声をサンプリング可能でデジタル音声コード化可能な音声信号符号化手段と、符号化された音声コードを記憶することが可能な不揮発性メモリを加えて備えることで、ユーザー好みの音声を外部から入力しその音声情報をコード化し、予め記憶させていた音声コードに追加、変更することが可能となる。
【図面の簡単な説明】
【図１】本発明の第１実施の形態によるデジタル放送用受信端末装置を示す図
【図２】ＥＩＴ（Ｅｖｅｎｔ    Ｉｎｆｏｒｍａｔｉｏｎ  Ｔａｂｌｅ）のデータ構造を示す図
【図３】短形式イベント記述子、拡張形式イベント記述子を示す図
【図４】第１実施の形態の音声データ例を示す図
【図５】実施の形態１の動作フローチャート
【図６】本発明の第２実施の形態によるデジタル放送用受信端末装置を示す図
【図７】第２実施の形態の音声データ例を示す図
【図８】実施の形態２の動作フローチャート
【図９】第３実施の形態の音声データ例を示す図
【図１０】実施の形態３の動作フローチャート
【図１１】本発明の第４実施の形態によるデジタル放送用受信端末装置を示す図
【図１２】実施の形態４の音声入力コード変換イメージ図
【図１３】実施の形態４のフローチャート
【図１４】従来のデジタル放送受信機構成図
【図１５】従来のデジタル放送受信機フローチャート
【符号の説明】
１  アンテナ信号入力端子
２  チューナー
３  復調手段
４  トランスポートデコード手段
５  音声デコード手段
６  電子番組情報音声変換手段
７  制御手段
８  ＲＡＭメモリ
９  プログラム用不揮発性メモリ
１０  音声データ用不揮発性メモリ
１１  音声合成手段
１２  音声出力端子
２０  音声データ用不揮発性メモリ
２１  音声電子番組情報デコード手段
３１  音声入力端子
３２  音声信号符号化手段
３３  音声データ用不揮発性メモリ
１０１  アンテナ
１０２  チューナー
１０３  トランスポートデコーダ
１０４  ＡＶデコーダ
１０５  モニタ
１０６  ユーザー入力部
１０７  システムコントローラ
１０８  表示制御部
１０９  デジタル放送受信機
【図１】
2004304221.tif 000003
【図２】
2004304221.tif 000004
【図３】
2004304221.tif 000005
【図４】
2004304221.tif 000006
【図５】
2004304221.tif 000007
【図６】
2004304221.tif 000008
【図７】
2004304221.tif 000009
【図８】
2004304221.tif 000010
【図９】
2004304221.tif 000011
【図１０】
2004304221.tif 000012
【図１１】
2004304221.tif 000013
【図１２】
2004304221.tif 000014
【図１３】
2004304221.tif 000015
【図１４】
2004304221.tif 000016
【図１５】
2004304221.tif 000017